(57)【特許請求の範囲】
【請求項１】
載置面の上に置かれる底部と、手を載せる上面とを有するリール本体と、
上記リール本体の前部に設けられ、電動モータを介して釣糸を巻き取る方向に駆動されるスプールと、を具備する魚釣用リールであって、
上記リール本体の上面は、手の平を受ける第１の領域と、手の指を受ける第２の領域とを有し、上記第１の領域は、上記リール本体の前後方向に沿う中間部から上記リール本体の後方に進むに従い下向きに傾斜するとともに、上記第２の領域は、上記リール本体の中間部から上記リール本体の前方に進むに従い下向きに傾斜することを特徴とする魚釣用リール。
【請求項２】
請求項１の記載において、上記上面の第１の領域は、上方に凸となるように上記リール本体の前後方向に沿って円弧状に湾曲する曲面をなしていることを特徴とする魚釣用リール。
【請求項３】
請求項１又は請求項２の記載において、上記上面の第１および第２の領域は、上方に凸となるように上記リール本体の左右方向に沿って円弧状に湾曲する曲面をなしていることを特徴とする魚釣用リール。
【請求項４】
請求項１又は請求項２の記載において、上記上面の第２の領域は、上記スプールの左側および右側に振り分けられた一対の指置き部を有することを特徴とする魚釣用リール。
【請求項５】
請求項１の記載において、上記上面の第２の領域に上記電動モータの運転を制御するスイッチが配置されていることを特徴とする魚釣用リール。
【請求項６】
請求項１の記載において、上記リール本体は左右の側面を有し、これら左右の側面に夫々指掛け用の凹部が形成されていることを特徴とする魚釣用リール。
【請求項７】
請求項１の記載において、上記リール本体の底部は、上記リール本体の下方に向けて張り出すように円弧状に湾曲する底面を含み、上記リール本体を上記載置面の上に置いた時に、上記底面と上記載置面との間に上記リール本体の左右側方に向けて拡開するように開口する指掛け用の隙間が形成されることを特徴とする魚釣用リール。
【発明の詳細な説明】
【技術分野】
【０００１】
本発明は、例えばワカサギのような小魚を釣る時に、台の上や船べりに置いて使用する魚釣用リールに関する。
【背景技術】
【０００２】
氷結した湖の上で行うワカサギの穴釣りやボート釣り等においては、短い釣竿を装着した小形の電動リールが用いられている。この種の電動リールは、例えば氷上に据え付けた台の上あるいは船べりの上に置かれており、釣人は、電動リールを手で握って操作することにより、釣糸に取り付けた仕掛けを水中に垂らしたり、仕掛けに掛かったワカサギを水中から引き上げている。
【０００３】
例えば特許文献１に開示されたワカサギ釣り用電動リールは、スプールを支持する外筒を備えている。外筒は、スプールと一体に回転する回転軸と、モータによって駆動されるウォームとを内蔵している。ウォームは、外筒内で回転軸上の歯車と噛み合っている。そのため、釣人が外筒の上面に位置するスイッチを手で操作すると、モータのトルクがウォームおよび歯車を介してスプールに伝わり、スプールが釣糸を巻き取る方向に回転するようになっている。
【０００４】
さらに、特許文献１では、外筒の下端にプッシャが設けられている。プッシャは、外筒を台の上に置いた時に回転軸を押し上げ、歯車とウォームとの噛み合いを解除する。これにより、スプールがフリーとなり、スプールに巻き付けられた釣糸が重りにより引っ張られてスプールから繰り出されるようになっている。
【０００５】
台の上に置かれた電動リールを釣人が手で持ち上げると、プッシャが自重により降下する。これにより、プッシャによる回転軸の押し上げが解除され、回転軸上の歯車がウォームと噛み合う状態に移行するようになっている。
【０００６】
一方、特許文献２に開示された電動リール一体型釣竿は、円筒状の把持部と、この把持部から前方に突出する穂先とを備えている。この釣竿によると、把持部の前部にスプールが支持されているとともに、把持部のうちスプールよりも手前側の部分にスプールを駆動する電動モータと、電動モータへの電力供給を断続するスイッチが設けられている。スイッチは、把持部の外周面に露出しており、このスイッチを釣人が手で操作することにより、スプールが釣糸を巻き取る方向に回転するようになっている。
【０００７】
さらに、スプールと隣り合う位置にカムが配置されている。カムは、スプールと電動モータとの間でのトルクの伝達を断続するためのものであり、把持部の外周から突出する操作レバーを有している。この操作レバーを釣人が手で操作することにより、スプールが電動モータに接続される第１の位置と、電動モータから切り離される第２の位置とのいずれかに移動されるようになっている。
【０００８】
したがって、特許文献２では、スプールを第１の位置に移動させた状態でスイッチを操作すれば、スプールが釣糸を巻き取る方向に回転する。さらに、スプールを第２の位置に移動させると、スプールがフリーとなり、このスプールに巻き付けられた釣糸が重りにより引っ張られてスプールから繰り出される。
【特許文献１】特開２００４−４７２６号公報
【特許文献２】特開平１０−１９１８４４号公報
【発明の開示】
【発明が解決しようとする課題】
【０００９】
特許文献１に示された電動リールによると、釣人は外筒を台の上に置いた状態であたりを待ち、あたりが来た時に台の上に置かれた外筒を持ち上げ、手の指先でスイッチを操作する。この際、あたりが来た時の素早い対応を可能とするためには、台の上に置かれた外筒に手を添えてあたりを待つことが望ましいものとなる。
【００１０】
しかしながら、特許文献１の電動リールは、外筒が四角い箱型であったり、釣竿のグリップのような円筒状であるため、外筒に安心して手を添えておけるような場所が確保されていない。特に台の上に置かれた外筒の円筒状の部分を手で握ってあたりを待つようにすると、あたりを待つ時の手の形態が不自然なものとなり、手が直ぐに疲れてしまう。
【００１１】
この結果、釣人は、台の上に置かれた外筒から手を離してあたりを待ち、あたりが来た時点でスイッチを操作することが多くなる。そのため、あたりに対する素早い対応が困難となり、折角掛かった魚を取り逃がす虞があり得る。
【００１２】
特許文献２の電動リール一体型釣竿では、円筒状の把持部の前部にスプールが位置するので、釣人の多くは、必然的に台の上に置かれた把持部を握った状態であたりを待つことになる。
【００１３】
しかしながら、台の上に置かれた把持部を握りながらあたりを待つことは、釣りの仕方として非常に不自然であり、手が直ぐに痛くなったり疲れてしまう。このため、把持部を握ったまま長時間に亘って釣りをすることは困難であり、それ故、あたりに対する素早い操作が損なわれるといった不具合が生じてくる。
【００１４】
本発明の目的は、リール本体を載置面の上に置いた状態で使用するに当たり、リール本体が手に良く馴染んで使用中の手の疲れが皆無に等しく、使い易い魚釣用リールを得ることにある。
【課題を解決するための手段】
【００１５】
上記目的を達成するため、本発明の一つの形態に係る魚釣用リールは、  
載置面の上に置かれる底部と、手を載せる上面とを有するリール本体と、  
上記リール本体の前部に設けられ、電動モータを介して釣糸を巻き取る方向に駆動されるスプールと、を備えている。  
上記リール本体の上面は、手の平を受ける第１の領域と、手の指を受ける第２の領域とを有し、上記第１の領域は、上記リール本体の前後方向に沿う中間部から上記リール本体の後方に進むに従い下向きに傾斜するとともに、上記第２の領域は、上記リール本体の中間部から上記リール本体の前方に進むに従い下向きに傾斜することを特徴としている。
【発明の効果】
【００１６】
本発明によれば、釣人がリール本体の上面に手を無意識に宛がった時に、リール本体の上面が手の平から指先の腹に至る範囲の湾曲形状に合致する。そのため、手の平から指の腹に至る広い範囲をリール本体の上面で自然に受け止めることができ、リール本体が手に馴染み易い形態となる。
【００１７】
したがって、載置面の上に置かれたリール本体を手で掴んで操作する時に、手が不自然な姿勢を強いられたり、手に無理な負担が加わることもなく、手の疲れが皆無となる。よって、載置面の上での魚釣用リールの操作性が良好となり、あたりに対して素早い対応が可能となる。
【発明を実施するための最良の形態】
【００１８】
以下本発明の第１の実施の形態を、図１ないし図１２に基づいて説明する。
【００１９】
図１に示すように、例えば氷結した湖面１に穴２を開けてワカサギを釣る、いわゆる穴釣りでは、氷結した湖面１の上に釣用の台３を据え付けている。台３は、載置面としての平坦な上面３ａを有している。釣人は、台３の上面３ａの上に魚釣用リール４を置くとともに、この魚釣用リール４を手Ｈで掴んで操作することによりワカサギを吊り上げる。
【００２０】
図１ないし図３に示すように、魚釣用リール４は、リール本体５を備えている。リール本体５は、その外郭を構成する筐体６を有している。筐体６は、例えばＡＢＳ樹脂、ポリカーボーネートのような合成樹脂材料により形成されている。
【００２１】
筐体６は、長軸Ｌと短軸Ｓとを有する偏平な箱形であり、釣人が片方の手Ｈで掴むことができる程度の大きさを有している。筐体６の長軸Ｌは、筐体６の前後方向に延びるとともに、筐体６の短軸Ｓは、筐体６の幅方向に延びている。
【００２２】
図２に示すように、筐体６は、ロアケース７とトップカバー８とで構成されている。ロケース７は、底壁９と、底壁９の左右の側縁から起立する側壁１０ａ，１０ｂと、底壁９の前端から立ち上がる前壁１１と、底壁９の後端から立ち上がる後壁１２とを有している。トップカバー８は、底壁９と向かい合うようにロアケース７に被せられている。トップカバー８の外周縁は、側壁１０ａ，１０ｂの上縁、前壁１１の上縁および後壁１２の上縁に連続している。トップカバー８は、ねじ止めあるいは嵌め込み等の手段によりロアケース７に固定されて、このロアケース７との間にモータ収容室１３を規定している。したがって、筐体６は、内部にモータ収容室１３を有する中空の箱形をなしている。
【００２３】
さらに、ロアケース７の底壁９にバッテリ収容部１４が形成されている。バッテリ収容部１４は、モータ収容室１３内に張り出すとともに、ロアケース７の下方に開口するような凹みで構成されている。バッテリ収容部１４の開口端は、取り外し可能なバッテリカバー１５で閉じられている。
【００２４】
筐体６は、一対の脚１６ａ，１６ｂを有している。脚１６ａ，１６ｂは、例えば筐体６よりも柔らかいゴム状弾性体で形成されている。脚１６ａ，１６ｂは、ロアケース７の底壁９に固定されてリール本体５の底部に位置するとともに、リール本体５の前後方向に互いに離れている。脚１６ａ，１６ｂは、リール本体５を台３の上に置いた時に、台３の上面３ａに接触する。この接触により、リール本体５の底壁９が台３の上面３ａから離間し、リール本体５は、前後方向に離間した二箇所で台３の上に安定した姿勢で載置される。
【００２５】
図２および図３に示すように、トップカバー８は、筐体６の上面６ａを構成している。上面６ａは、第１の領域１７および第２の領域１８を有している。第１の領域１７は、釣人がリール本体５を手Ｈで掴んだ時に、手の平Ｐを受ける部分であり、筐体６の前後方向に沿う中間部１９よりも後方に位置している。第２の領域１８は、釣人がリール本体５を手Ｈで掴んだ時に、手Ｈの人さし指Ｈ２および中指Ｈ３を受ける部分であり、筐体６の中間部１９よりも前方に位置している。
【００２６】
第１の領域１７は、筐体６の中間部１９から筐体６の後方に進むに従い下向きに傾斜するとともに、筐体６の上方に凸となるように筐体６の前後方向に沿って滑らかな円弧を描いて湾曲する曲面となっている。さらに、第１の領域１７は、図４に示すように、筐体６の上方に凸となるように筐体６の左右方向に沿って滑らかな円弧を描いて湾曲する曲面となっている。そのため、第１の領域１７は、筐体６の左側および右側に進むに従い下向きに緩やかに傾斜している。
【００２７】
第２の領域１８は、筐体６の中間部１９から筐体６の前方に進むに従い下向きに傾斜するとともに、筐体６の上方に凸となるように筐体６の前後方向に沿って滑らかな円弧を描いて湾曲する曲面となっている。
【００２８】
このことから、第１の領域１７と第２の領域１８との間の境界に位置する中間部１９は、上面６ａの中で筐体６の上方に最も張り出す頂部２０を含んでいる。頂部２０は、筐体６の中間部１９において筐体６の左右方向に沿う中央部に位置している。言い換えると、筐体６の上面６ａは、頂部２０に向けて滑らかな円弧を描いて盛り上がっている。よって、本実施の形態の筐体６は、例えばポータブルコンピュータ用の代表的なポインティングデバイスであるマウスをイメージするような外観を有している。
【００２９】
トップカバー８は、円形の開口部２１を有している。開口部２１は、第２の領域１８の前半部分の中央部に開口している。第２の領域１８のうち開口部２１の左側に位置する部分は、手Ｈの人さし指Ｈ２を受ける指置き部２２ａとなっている。同様に、第２の領域１８のうち開口部２１の右側に位置する部分は、手Ｈの中指Ｈ３を受ける指置き部２２ｂとなっている。このため、一対の指置き部２２ａ，２２ｂは、開口部２１を間に挟んで筐体６の左右方向に振り分けられている。
【００３０】
図５に左側の指置き部２２ａを代表して示すように、指置き部２２ａの前端は、下向きに湾曲されてロアケース７の前壁１１の上端と向かい合っている。指置き部２２ａの前端と前壁１１の上端との間に隙間２３が形成されている。
【００３１】
したがって、人指し指Ｈ２で指置き部２２ａを下向きに押圧すると、トップカバー８が有する可撓性により、指置き部２２ａが隙間２３の分だけ沈み込むように弾性変形する。指置き部２２ａの押圧を解除すると、指置き部２２ａが元の位置に弾性的に復帰し、指置き部２２ａの前端と前壁１１の上端との間に再び隙間２３が生じるようになっている。
【００３２】
上記のような隙間２３は、図示を省略するが他の指置き部２２ｂの前端と前壁１１の上端との間にも形成されている。よって、中指Ｈ３で指置き部２２ｂを下向きに押圧すると、指置き部２２ｂが隙間２３の分だけ沈み込むように弾性変形する。
【００３３】
図４に示すように、筐体６の側壁１０ａ，１０ｂは、夫々側面２４ａ，２４ｂを有している。側面２４ａ，２４ｂは、筐体６の左側方および右側方に露出している。筐体６の側面２４ａ，２４ｂの下部に夫々凹部２５ａ，２５ｂが形成されている。凹部２５ａ，２５ｂは、筐体６の前後方向に延びるとともに、その下端が底壁９に連続している。
【００３４】
筐体６の左側の凹部２５ａは、筐体６を手Ｈで掴んだ時に、手Ｈの親指Ｈ１を差し入れるためのものであり、側面２４ａよりも筐体６の内側に向けて凹んでいる。筐体６の右側の凹部２５ｂは、筐体６を手Ｈで掴んだ時に、手Ｈの薬指Ｈ４および小指Ｈ５を差し入れるためのものであり、側面２４ｂよりも筐体６の内側に向けて凹んでいる。
【００３５】
図２および図３に示すように、筐体６のロアケース７の前端部に合成樹脂製の支持台２６がねじ止めされている。支持台２６は、竿受け部２７とスプール受け部２８とを備えている。竿受け部２７は、筐体６の左右方向に沿う中央部に位置している。竿受け部２７は、筐体６の前方に向けて開口する支持孔２９を有するとともに、釣糸ガイド３０を支持している。釣糸ガイド３０は、竿受け部２７の上方に突出するように垂直に起立する待機位置と、この待機位置から筐体６の後方に倒れ込む動作位置との間で回動可能であり、常に待機位置に保持されている。
【００３６】
支持台２６のスプール受け部２８は、トップカバー８の開口部２１の下方に水平に配置されている。スプール受け部２８の外周縁部に円筒状の起立壁３１が形成されている。起立壁３１の上端は、開口部２１を取り囲むようにトップカバー８の下面に突き当たって、トップカバー８とスプール受け部２８との間を結んでいる。
【００３７】
図２に示すように、ロアケース７の底壁９にスプール軸３３が支持されている。スプール軸３３は、底壁９から垂直に起立するとともに、スプール受け部２８を貫通してスプール受け部２８の上に突出している。
【００３８】
スプール軸３３の上部に合成樹脂又は金属製のスプール３４が回転可能に支持されている。スプール３４は、釣糸３５が巻き付けられる釣糸巻回胴部３６と、釣糸巻回胴部３６を間に挟んで上下方向に向かい合う一対のフランジ３７ａ，３７ｂとを備えており、スプール軸３３を中心に水平方向に回転するようになっている。一方のフランジ３７ａは、他のフランジ３７ｂよりも大径であり、この大径なフランジ３７ａがスプール受け部２８の上面の上に置かれている。
【００３９】
スプール軸３３は、釣糸巻回胴部３６を同軸状に貫通して他方のフランジ３７ｂの上に突出している。スプール軸３３の上端に袋ナット３８がねじ込まれている。袋ナット３８は、スプール受け部２８との間でスプール３４を挟み込んでおり、このことによりスプール３４がリール本体５の前部に支持されている。
【００４０】
スプール３４は、トップカバー８の開口部２１の内側に位置している。スプール３４の上端に位置する他方のフランジ３７ｂは、筐体６の上面６ａの頂部２０と同等の高さあるいは頂部２０よりも少しだけ低い位置にあり、開口部２１から筐体６の第２の領域１８に露出している。
【００４１】
第２の領域１８に位置する一対の指置き部２２ａ，２２ｂは、スプール３４の左側および右側に振り分けられている。そのため、指置き部２２ａ，２２ｂに人さし指Ｈ２および中指Ｈ３を載せた時に、スプール３４は、人さし指Ｈ２と中指Ｈ３との間に位置される。
【００４２】
さらに、指置き部２２ａ，２２ｂは、図２および図６に示すように、魚釣用リール４を側方から見た時に、スプール３４の左右両側を横切るように前方に進むに従い下向きに傾斜している。このため、スプール３４のフランジ３７ｂの前部は、指置き部２２ａ，２２ｂの上方に張り出している。
【００４３】
図１および図２に示すように、竿受け部２７の支持孔２９に釣竿４０が嵌め込まれている。釣竿４０は、例えば全長が１５ｃｍ程度の短いものでよく、リール本体５の前端から前方に向けて水平に突き出ている。
【００４４】
釣竿４０の外周面に複数の釣糸ガイド４１が取り付けられている。釣糸ガイド４１は、釣竿４０の長手方向に間隔を存して一列に並んでいる。スプール３４から繰り出された釣糸３５は、リール本体５の釣糸ガイド３０から釣竿４０の釣糸ガイド４１を経由して釣竿４０の先端に導かれた後、釣竿４０の先端から湖面１に開けた穴２を通じて水中に没している。
【００４５】
なお、釣糸３５の先端部には、重りあるいは撚りもどしのようなストッパ４２（図１１に示す）が取り付けられている。ストッパ４２は、釣竿４０の釣糸ガイド４１を通過可能であり、かつ魚釣用リール４の釣糸ガイド３０は通過できないような大きさを有している。
【００４６】
本実施の形態の魚釣用リール４は、好ましい例としてリール本体５に釣竿４０を装着しているが、この釣竿４０は必須の構成要素ではない。例えばリール本体５から釣竿を省略してもよいし、釣竿４０をリール本体以外の場所、例えば台３に取り付けてもよい。
【００４７】
図２に示すように、筐体６のモータ収容室１３に電動モータ４４が収容されている。電動モータ４４は、ステータおよびロータを収容するモータハウジング４５と、このモータハウジング４５の前端から突出する金属製の出力軸４６とを有している。電動モータ４５は、出力軸４６を筐体６の前後方向に沿わせた横置きの姿勢でスプール３４の後方に設置されている。
【００４８】
電動モータ４５の出力軸４６は、スプール軸３３の直後に位置するとともに、このスプール軸３３と直交するような位置関係を保っている。出力軸４６の前端部は、スプール３４の一方のフランジ３７ａの下方に位置している。
【００４９】
出力軸４６の外周上に円筒状のトルク伝達部材４７が同軸状に取り付けられている。トルク伝達部材４７は、例えばスプール３４よりも柔らかい合成樹脂又はゴム状弾性体により形成されている。トルク伝達部材４７の外周面は、スプール３４のフランジ３７ａの下面に接している。
【００５０】
図２に示すように、電動モータ４４のモータハウジング４５はピボット軸４８を有している。ピボット軸４８は、モータハウシング４５の後端に位置するとともに、出力軸４６と直交するように筐体６の幅方向に沿って水平に延びている。ピボット軸４８は、ロアケース７の軸受部４９に支持されている。
【００５１】
このため、電動モータ４４は、ピボット軸４８を支点として、第１の位置と第２の位置との間で回動可能となっている。第１の位置では、図２に示すように電動モータ４４の出力軸４６が筐体６の前後方向に沿って水平に延びており、トルク伝達部材４７の外周面がスプール３４のフランジ３７ａの下面に当接している。第２の位置では、図１０に示すように電動モール４４の出力軸４６が前下がりとなって、トルク伝達部材４７の外周面がスプール３４のフランジ３７ａの下面から離れている。
【００５２】
さらに、電動モータ４４は、引っ張りコイルスプリング５０を介して常に第１の位置に向けて弾性的に付勢されている。そのため、電動モータ４４が第１の位置にある限り、トルク伝達部材４７の外周面がスプール３４のフランジ３７ａの下面に弾性的に押し付けられている。
【００５３】
筐体６のバッテリ収容部１４に電動モータ４４の駆動用電源となる二本の乾電池５２ａ，５２ｂが収容されている。図１２に示すように、乾電池５２ａ，５２ｂの正極に夫々正側電源ライン５３ａ，５３ｂが接続されている。正側電源ライン５３ａ，５３ｂは、正側共通電源ライン５４を介して電動モータ４４の正側端子に接続されている。
【００５４】
乾電池５２ａ，５２ｂの負極に夫々負側電源ライン５５ａ，５５ｂが接続されている。負側電源ライン５５ａ，５５ｂは、負側共通電源ライン５６を介して電動モータ４４の負極端子に接続されている。そのため、各電源ライン５３ａ，５３ｂ，５４，５５ａ，５５ｂ，５６は、電動モータ４４を乾電池５２ａ，５２ｂに並列に接続する一つの電源回路５７を構成している。
【００５５】
図１２に示すように、正側電源ライン５３ａ，５３ｂと正側共通電源ライン５４との間に常開形の連続巻きスイッチ５８が接続されている。一方の正側電源ライン５３ａと正側共通電源ライン５４との間に常開形の第１の一時巻きスイッチ５９ａが接続されている。他方の正側電源ライン５３ｂと正側共通電源ライン５４との間に常開形の第２の一時巻きスイッチ５９ｂが接続されている。第１および第２の一時巻きスイッチ５９ａ，５９ｂは、筐体６の指置き部２２ａ，２２ｂの下方に配置されて、これら指置き部２２ａ，２２ｂによって個々に開閉操作されるようになっている。
【００５６】
したがって、弾性変形が可能な指置き部２２ａ，２２ｂは、第１および第２の一時巻きスイッチ５９ａ，５９ｂを操作するスイッチ操作子としての機能を兼ねている。
【００５７】
正側共通電源ライン５４に常閉形の船べり停止スイッチ６０が配置されている。船べり停止スイッチ６０は、筐体６の前端に位置する釣糸ガイド３０と対向している。船べり停止スイッチ６０は、釣糸ガイド３０が待機位置から動作位置に回動された時に、この釣糸ガイド３０によって開方向に操作される。
【００５８】
負側共通電源ライン５６に常開形のメインスイッチ６１が配置されている。メインスイッチ６１は、筐体６の底壁９の下方に露出されて釣人が手の指先で操作し得るようになっている。そのため、本実施の形態では、メインスイッチ６１を閉じた状態で連続巻きスイッチ５８又は第１および第２の一時巻きスイッチ５９ａ，５９ｂを閉じると、乾電池５２ａ，５２ｂから電動モータ４４に電流が流れ、電動モータ４４が回転する。
【００５９】
電動モータ４４のトルクは、出力軸４６からトルク伝達部材４７に伝わる。トルク伝達部材４７は、引っ張りコイルスプリング５０の付勢力によりスプール３４のフランジ３７ａの下面に押し付けられているので、トルク伝達部材４７とフランジ３７ａとの接触部分に生じる摩擦力により電動モータ４４のトルクがスプール３４に伝わる。
【００６０】
この結果、連続巻きスイッチ５８、第１の一時巻きスイッチ５９ａおよび第２の一時巻きスイッチ５９ｂのいずれを閉じた場合でも、スプール３４は電動モータ４４のトルクを受けて釣糸３５を巻き取る方向にのみ回転する。
【００６１】
図２および図７に示すように、筐体６の中間部１９に合成樹脂製の切り換えレバー６３が配置されている。切り換えレバー６３は、連続巻きスイッチ５８を開閉したり、スプール３４をトルク伝達部材４７から切り離してスプール３４の自由な回転を許容するためのものである。
【００６２】
切り換えレバー６３は、筐体６の前後方向に水平に延びる軸部６３ａと、指掛け用の舌片部６４と、カム部６５とを備えている。
【００６３】
軸部６３ａは、スプール受け部２８の後端に形成されたブラケット６６に回動可能に支持されている。軸部６３ａは、電動モータ４４の出力軸４６およびトルク伝達部材４７の真上に位置している。
【００６４】
舌片部６４は、トップカバー８に開けたスリット６７を貫通して筐体６の上面６ａの上に突出するとともに、筐体６の中間部１９とスプール３４との間に位置している。図３に示すように、舌片部６４は、釣人が筐体６の上面６ａに手Ｈを載せた時に、人さし指Ｈ２の付け根と中指Ｈ３の付け根とで規定されるＶ形の隙間６８に位置するようになっている。
【００６５】
カム部６５は、外周縁部７０、第１のカムノーズ７１および第２のカムノーズ７２を備えている。外周縁部７０は、舌片部６４に対して軸部６３ａを間に挟んだ反対側に位置するとともに、軸部６３ａを中心とする円弧を描くように湾曲している。外周縁部７０は、トルク伝達部材４７の外周面との間に僅かな隙間を存してトルク伝達部材４７と向かい合っている。
【００６６】
第１のカムノーズ７１は、外周縁部７０の一端に位置するとともに、この一端から軸部６３ａの径方向外側に向けて突出している。第２のカムノーズ７２は、外周縁部７０の他端に位置している。第２のカムノーズ７２は、軸部６３ａを中心とする円弧を描くように湾曲しているとともに、外周縁部７０よりも軸部６３ａの径方向外側に僅かに張り出している。外周縁部７０と第２のカムノーズ７２との境界部分には、トルク伝達部材４７の外周面に沿うように湾曲する段差７３が形成されている。
【００６７】
切り換えレバー６３は、軸部６３ａを支点として第１ないし第３の切り換え位置Ｐ１，Ｐ２，Ｐ３のいずれかの位置に回動操作される。図７は、切り換えレバー６３が第１の切り換え位置Ｐ１に回動された状態を開示している。第１の切り換え位置Ｐ１では、切り換えレバー６３の舌片部６４が垂直に起立するとともに、カム部６５の段差７３がトルク伝達部材４７の外周面に突き当たっている。
【００６８】
この時、段差７３は、トルク伝達部材４７に対し単に上方から接しているだけであり、トルク伝達部材４７は、引っ張りコイルスプリング５０の付勢力を受けてスプール３４のフランジ３７ａに弾性的に押し付けられている。そのため、スプール３４は、フランジ３７ａとトルク伝達部材４７との接触部分に生じる摩擦抵抗により自由な回転が制限されている。
【００６９】
さらに、第１の切り換え位置Ｐ１では、第１のカムノーズ７１が連続巻きスイッチ５８の上方に位置し、第１のカムノーズ７１が連続巻きスイッチ５８から離れている。よって、連続巻きスイッチ５８は開状態を維持している。
【００７０】
図８は、切り換えレバー６３が第２の切り換え位置Ｐ２に回動された状態を開示している。第２の切り換え位置Ｐ２では、切り換えレバー６３の舌片部６４が筐体６の左側に倒されて、トルク伝達部材４７の外周面とカム部６５の外周縁部７０との接触位置が相対的に変化している。この時、トルク伝達部材４７は、引っ張りコイルスプリング５０の付勢力を受けてスプール３４のフランジ３７ａに弾性的に押し付けられている。
【００７１】
さらに、切り換えレバー６３の第１のカムノーズ７１が連続巻きスイッチ５８に接触し、第１のカムノーズ７１によって連続巻きスイッチ５８が閉じられる。したがって、メインスイッチ６１が閉じている時に、切り換えレバー６３を指先で第２の切り換え位置Ｐ２に保持しておけば、乾電池５２ａ，５２ｂから電動モータ４４に電流が流れて、スプール３４が釣糸３５を巻き取る方向に連続して回転される。
【００７２】
図９は、切り換えレバー６３が第３の切り換え位置Ｐ３に移動された状態を開示している。第３の切り換え位置Ｐ３では、切り換えレバー６３の舌片部６４が筐体６の右側に倒されて、第１のカムノーズ７１が連続巻きスイッチ５８から上方に離脱している。そのため、連続巻きスイッチ５８が閉状態から開状態に移行し、電動モータ４４に対する電流の供給が断たれる。
【００７３】
それとともに、切り換えレバー６３の回動に伴い、第２のカムノーズ７２がトルク伝達部材４７の外周面に乗り上げ、トルク伝達部材４７を強制的に押し下げる。これにより、電動モータ４４がピボット軸４８を支点に第１の位置から第２の位置に向けて回動し、トルク伝達部材４７がスプール３４のフランジ３７ａから離脱する。よって、スプール３４に作用する摩擦力が失われるので、スプール３４の自由な回転が許容され、スプール３４からの釣糸３５の繰り出しが可能となる。
【００７４】
切り換えレバー６３が第３の切り換え位置Ｐ３にある時に、例えば人さし指Ｈ２で指置き部２２ａを押し下げて第１の一時巻きスイッチ５９ａを閉じると、乾電池５２ａ，５２ｂから電動モータ４４に電流が流れて、トルク伝達部材４７が図９の矢印方向に回転する。
【００７５】
この回転により、トルク伝達部材４７と第２のカムノーズ７２との接触部分に生じる摩擦力により、切り換えレバー６３が軸部６３ａを中心に図９の時計周り方向に回転する。よって、切り換えレバー６３が第３の切り換え位置Ｐ３から第１の切り換え位置Ｐ１に復帰し、トルク伝達部材４７の外周面がスプール３４のフランジ３７ａの下面に再び接触する。
【００７６】
この結果、第１又は第２の一時巻きスイッチ５９ａ，５９ｂが閉じている限り、スプール３４が釣糸３５を巻き取る方向に回転する。
【００７７】
魚釣用リール４を用いて例えばワカサギを釣るに当たっては、リール本体５に釣竿４０を装着し、かつ釣糸３５に仕掛けをセットした後、メインスイッチ６１を閉じる。次に、魚釣用リール４を釣場に設置された台３の上に置き、筐体６の上面６ａに手Ｈを添えるように宛がう。
【００７８】
具体的には、上面６ａの第１の領域１７に手の平Ｐを当てるとともに、人さし指Ｈ２および中指Ｈ３を夫々第２の領域１８の指置き部２２ａ，２２ｂの上に載せる。さらに、親指Ｈ１を筐体６の左側の凹部２５ａに差し入れるとともに、薬指Ｈ４および小指Ｈ５を筐体６の右側の凹部２５ｂに差し入れ、手Ｈで筐体６を全体的に包み込むように把持する。
【００７９】
次に、人さし指Ｈ２で第１の切り換え位置Ｐ１にある切り換えレバー６３の舌片部６４を右側に倒し、切り換えレバー６３を第３の切り換え位置Ｐ３に回動させる。この回動により、カム部６５の第２のカムノーズ７２によってトルク伝達部材４７が押し下げられ、トルク伝達部材４７がスプール３４のフランジ３７ａから離脱する。
【００８０】
この結果、スプール３４がフリーとなり、スプール３４に巻き付けられた釣糸３５が仕掛けにより引っ張られてスプール３４から繰り出されるとともに、仕掛けが湖面１に開けた穴２から水中に沈降される。
【００８１】
この際、スプール３４は、指置き部２２ａ，２２ｂに載せた人さし指Ｈ２と中指Ｈ３との間に位置している。そのため、必要に応じて人さし指Ｈ２や中指Ｈ３をスプール３４のフランジ３７ｂの縁に押し当てることで、スプール３４の回転速度ひいては仕掛けの沈降速度を自由に調節することができる。
【００８２】
仕掛けが狙った水深に達したところで、例えば人さし指Ｈ２で切り換えレバー６３を第３の切り換え位置Ｐ３から第１の切り換え位置Ｐ１に戻す。これにより、引っ張りコイルスプリング５０の付勢力によりトルク伝達部材４７がスプール３４のフランジ３７ａに押し付けられ、スプール３４の自由な回転が制限される。この結果、スプール３４からの釣糸３５の繰り出しが停止されるので、このままの状態であたりを待つ。
【００８３】
この時、人さし指Ｈ２又は中指Ｈ３でトップカバー８の指置き部２２ａ又は２２ｂを弾性的に押し下げると、第１の一時巻きスイッチ５９ａ又は第２の一時巻きスイッチ５９ｂが閉じる。そのため、指置き部２２ａ又は２２ｂを押し下げている限り、スプール３４が釣糸３５を巻き取る方向に回転するので、釣糸３５の弛みを除去することができる。
【００８４】
あたりを待つ時は、台３の上に置かれた魚釣用リール４のリール本体５を手Ｈで握ったまま、例えばポータブルコンピュータ用のマウスを操作するようにリール本体５を左右に動かしたり、あるいはリール本体５を上下に振るように動かしてリール本体５で台３の上面３ａを叩き、水中の仕掛けを動かすことによりワカサギを誘う。
【００８５】
あたりが来たら、手Ｈで把持したリール本体５を持ち上げて合わせる。仕掛けにワカサギが掛かった段階で、例えば人さし指Ｈ２で切り換えレバー６３を第１の切り換え位置Ｐ１から第２の切り換え位置Ｐ２に回動させ、切り換えレバー６３の第１のカムノーズ７１で連続巻きスイッチ５８を閉じる。あるいは、人さし指Ｈ２又は中指Ｈ３でトップカバー８の指置き部２２ａ又は２２ｂを押し続けて、第１の一時巻きスイッチ５９ａ又は第２の一時巻きスイッチ５９ｂを閉じる。
【００８６】
この結果、乾電池５２ａ，５２ｂから電動モータ４４に電流が流れ、電動モータ４４が釣糸３５を巻き取る方向（図の矢印方向）にスプール３４を回転（正転）させる。したがって、水中の仕掛けが次第に引き上げられる。
【００８７】
釣糸３５をスプール３４に巻き取っている時に、釣糸３５の先端側に位置する重りや撚り戻しのようなストッパ４２が魚釣用リール４の直前に達すると、図１１に示すように、ストッパ４２が待機位置に保持された釣糸ガイド３０を通過できずに、この釣糸ガイド３０に引っ掛かる。
【００８８】
このため、釣糸ガイド３０が釣糸３５の巻き取り動作に追従して待機位置から動作位置に向けて倒れ込む。釣糸ガイド３０が動作位置に達すると、この釣糸ガイド３０によって船べり停止スイッチ６０が開かれ、電動モータ４４に対する電流の供給が断たれる。この結果、釣糸３５の巻き取りが停止され、仕掛けはスプール３４に巻き込まれることなく魚釣用リール４の直前で停止する。
【００８９】
仕掛けがスプール３４の直前で停止したり、あるいは釣人が仕掛けの引き上げを確認したら、例えば人さし指Ｈ２で切り換えレバー６３を第２の切り換え位置Ｐ２から第１の切り換え位置Ｐ１に回動させ、スプール３４の自由な回転を制限する。最後に仕掛けを手で摘み上げて、仕掛けに掛かったワカサギを取り出す。
【００９０】
本発明の第１の実施の形態によれば、リール本体５の筐体６の上面６ａは、その前後方向の中間部１９を境として手の平Ｐを受ける第１の領域１７と、人さし指Ｈ２および中指Ｈ３を受ける第２の領域１８とに分けられている。第１の領域１７は、中間部１９から筐体６の後方に進むに従い滑らかな円弧を描いて下向きに傾斜するとともに、第２の領域１８は、中間部１９から前方に進むに従い滑らかな円弧を描いて下向きに傾斜している。
【００９１】
すなわち、筐体６の上面６ａは、第１の領域１７と第２の領域１８との間の中間部１９に筐体６の上方に向けて最も張り出す頂部２０を有するので、例えば釣人がリール本体６の上面６ａに手Ｈを無意識に宛がった時に、頂部２０を含む中間部１９が丁度人さし指Ｈ２と中指Ｈ３の付け根に位置するとともに、筐体６の上面６ａが手の平Ｐから人さし指Ｈ２および中指Ｈ３の腹に至る範囲の湾曲形状に合致する。
【００９２】
したがって、手の平Ｐから人さし指Ｈ２および中指Ｈ３の腹に至る広い範囲を筐体６の上面６ａで自然に受け止めることができ、リール本体５が手に馴染み易い形態となる。
【００９３】
さらに、第２の領域１８の指置き部２２ａ，２２ｂは、スプール３４を間に挟んだ左右両側に振り分けられているので、指置き部２２ａ，２２ｂに載せた人さし指Ｈ２および中指Ｈ３でリール本体５の前部を台３の上面３ａにしっかりと押さえ付けることができる。この結果、リール本体５の姿勢が安定し、リール本体５を台３の上で左右に動かしたり、上下に振る操作をポータブルコンピュータ用のマウスと同じような感覚で容易に行なうことができる。
【００９４】
したがって、台３の上に置かれたリール本体５を手Ｈで掴んで操作する時に、手Ｈが不自然な姿勢を強いられたり、手Ｈに無理な負担が加わることもなく、釣りの最中に手Ｈが直ぐに疲れてしまうのを回避できる。よって、魚釣用リール４の操作性が良好となり、あたりに対して素早い対応が可能となる。
【００９５】
加えて、第１の実施の形態によれば、釣人は、筐体６の上面６ａに自然に載せた手Ｈの人さし指Ｈ２で切り換えレバー６３を操作できるとともに、人さし指Ｈ２と中指Ｈ３を使って第１の一時停止スイッチ５９ａ又は第２の一時停止スイッチ５９ｂを操作することができる。そのため、スプール３４を電動モータ４４で回転させたり、スプール３４の回転をフリーとする時に、リール本体５から手Ｈを離したり、リール本体５を持ち替える必要もない。よって、魚釣用リール４をポータブルコンピュータ用のマウスと同様の感覚で取り扱うことができ、従来との対比において操作性が格段に向上する。
【００９６】
さらに、筐体６の左右の側面２４ａ，２４ｂに形成された凹部２５ａ，２５ｂに親指Ｈ１、薬指Ｈ４および小指Ｈ５ｄを差し入れることで、筐体６を手Ｈで確実に掴むことができる。
【００９７】
特に筐体６を台３の上から持ち上げようとした場合に、凹部２５ａ，２５ｂに親指Ｈ１、薬指Ｈ４および小指Ｈ５ｄが引っ掛かるので、魚釣用リール４が手Ｈから脱落し難くなり、素早い手Ｈの動きに対しても無理なく対応することができる。
【００９８】
本発明は上記第１の実施の形態に特定されるものではなく、発明の主旨を逸脱しない範囲内で種々変形して実施可能である。
【００９９】
図１３は、本発明の第２の実施の形態を開示している。この第２の実施の形態は、筐体６のロアケース７の底壁９を直接台３の上面３ａの上に置くようにした点が第１の実施の形態と相違しており、これ以外の構成は第１の実施の形態と同様である。
【０１００】
第２の実施の形態によれば、リール本体５から専用の脚を省略できるので、部品点数が少なくて済み、コストの低減が可能となる。
【０１０１】
さらに、筐体６の底壁９の広い範囲が台３の上面３ａに接するので、魚釣用リール４を台３の上面３ａに沿って左右に動かす時に、魚釣用リール４の姿勢が安定する。
【０１０２】
図１４は、本発明の第３の実施の形態を開示している。
【０１０３】
この第３の実施の形態では、リール本体５の底部に位置する底壁９が筐体６の下方に張り出すように円弧状に湾曲されている。底壁９の外面は、筐体６の底面８１を構成しており、この底面８１は、台３の上面３ａに向けて突出するように円弧状に湾曲する曲面となっている。
【０１０４】
そのため、台３の上に魚釣用リール４を置いた時に、筐体６の底面８１と台３の上面３ａとの間に隙間８２が形成されている。隙間８２は、リール本体５の左右側方に向けて開口するとともに、側方に進むに従い次第に拡開されている。
【０１０５】
このような構成によると、筐体６を手Ｈで包み込むように把持した時に、親指Ｈ１や中指Ｈ４を筐体６の底面８１に沿わせて隙間８２の奥深くにまで差し込むことができる。それとともに、親指Ｈ１や中指Ｈ４が台３の上面３ａと筐体６との間に回り込むので、手の平Ｐが筐体６の上面６ａの第１の領域１７から側面２４ａ，２４ｂに至る範囲を包み込むように筐体６に密着する。
【０１０６】
そのため、リール本体５を手Ｈで確実に掴むことができ、あたりが来た時にリール本体６を合わせる操作を容易に行なうことができる。
【図面の簡単な説明】
【０１０７】
【図１】本発明の第１の実施の形態において、魚釣用リールを台の上に置いて使用している状態を示す側面図。
【図２】本発明の第１の実施の形態に係る魚釣用リールの断面図。
【図３】本発明の第１の実施の形態に係る魚釣用リールの平面図。
【図４】図１のF4-F4線に沿う魚釣用リールの断面図。
【図５】本発明の第１の実施の形態において、トップカバーの指置き部と第１の一時巻きスイッチとの位置関係を示す断面図。
【図６】本発明の第１の実施の形態において、切り換えレバーの舌片部に手の人さし指を宛がった状態を示す魚釣用リールの側面図。
【図７】本発明の第１の実施の形態において、切り換えレバーが第１の切り換え位置に回動された状態を図６のF7-F7線に沿って示す魚釣用リールの断面図。
【図８】本発明の第１の実施の形態において、切り換えレバーが第２の切り換え位置に回動された状態を示す魚釣用リールの断面図。
【図９】本発明の第１の実施の形態において、切り換えレバーが第３の切り換え位置に回動された状態を示す魚釣用リールの断面図。
【図１０】本発明の第１の実施の形態において、切り換えレバーによりトルク伝達部材が押し下げられて、トルク伝達部材がスプールから切り離された状態を示す魚釣用リールの断面図。
【図１１】本発明の第１の実施の形態において、リール本体の前端に位置する釣糸ガイドに釣糸上のストッパが引っ掛かった状態を示す魚釣用リールの断面図。
【図１２】本発明の第１の実施の形態において、電動モータの駆動系統を示す回路図。
【図１３】本発明の第２の実施の形態に係る魚釣用リールの断面図。
【図１４】本発明の第３の実施の形態に係る魚釣用リールの断面図。
【符号の説明】
【０１０８】
３ａ…載置面（上面）、５…リール本体、６ａ…上面、９，１６ａ，１６ｂ…底部（底壁、脚）、１７…第１の領域、１８…第２の領域、１９…中間部、３４…スプール、３５…釣糸、４４…電動モータ。
【図１】
0004903176.tif 000002
【図２】
0004903176.tif 000003
【図３】
0004903176.tif 000004
【図４】
0004903176.tif 000005
【図５】
0004903176.tif 000006
【図６】
0004903176.tif 000007
【図７】
0004903176.tif 000008
【図８】
0004903176.tif 000009
【図９】
0004903176.tif 000010
【図１０】
0004903176.tif 000011
【図１１】
0004903176.tif 000012
【図１２】
0004903176.tif 000013
【図１３】
0004903176.tif 000014
【図１４】
0004903176.tif 000015